(57)【特許請求の範囲】
【請求項１】
夫々に相異なる識別２進化コードが設定された複数のデータ端末と、これらのデータ端末からデータを順次収集する収集装置とを有するデータ収集システムにおいて、
前記収集装置に設けられ、データ端末を呼び出すための検索２進化コードとして桁数および／または各桁の２進値を変えながらデータ端末を呼び出し、データ端末からの応答が１つに特定されたときには、この特定されたデータ端末のデータを収集する特定収集手段と、
前記複数のデータ端末に設けられ、収集装置からの検索２進化コードが自己の識別２進化コードと一部または全部において一致するときには応答する応答手段、および収集装置によって特定されたときには少なくとも収集装置によるデータの収集が続いている間は収集装置からの呼び出しに対する応答を禁止する応答禁止手段と、
を有することを特徴とするデータ収集システム。
【請求項２】
前記特定収集手段は、検索２進化コードとして、最上位の桁および／または最下位の桁を起点として桁数および／または各桁の２進数が変わるコードであることを特徴とする請求項１記載のデータ収集システム。
【請求項３】
請求項１または２記載のデータ収集システムにおいて、検索２進化コードを構成する桁数は１ずつインクリメントされることを特徴とするデータ収集システム。
【発明の詳細な説明】
【０００１】
【発明の属する技術分野】
本発明は、複数のデータ端末からデータを順次収集するデータ収集システムに関する。
【０００２】
【従来の技術】
１台のデータ収集装置で複数のデータ端末に記憶されているデータをまとめて順次収集する上においては、まず、データを収集しようとするデータ端末を順次特定する必要がある。このデータ端末の特定方法としては、例えば、次のような方法がある。
【０００３】
（１）各データ端末に識別コードを設定すると共にデータ収集装置にも同じコードを検索コードとして登録しておく。
【０００４】
（２）各データ端末に識別コードを設定しておき、データ収集装置において所望のデータ端末の識別コードを順次指定入力する。
【０００５】
前者の方法では、新たなデータ端末が設けられる度に検索コードを新規登録しておかなければならず煩わしい。
【０００６】
また、後者の方法では、人手により識別コードを指定入力しなければならず、データ端末の数が多くなる程、手間がかかると共に指定入力漏れによるデータ収集漏れが発生するおそれがある。
【０００７】
【発明が解決しようとする課題】
このように、１台のデータ収集装置で複数のデータ端末からデータをまとめて順次収集する場合における従来のデータ端末の特定については、種々の不具合があり、確実にすべてのデータ端末からデータを順次収集できないおそれがある。
【０００８】
本発明は、上記に鑑みてなされもたので、その目的としては、手間をかけることなく、確実にすべてのデータ端末からデータをまとめて順次収集できるようにしたデータ収集システムを提供することにある。
【０００９】
【課題を解決するための手段】
上記目的を達成するため、請求項１記載の本発明は、夫々に相異なる識別２進化コードが設定された複数のデータ端末と、これらのデータ端末からデータを順次収集する収集装置とを有するデータ収集システムにおいて、前記収集装置に設けられ、データ端末を呼び出すための検索２進化コードとして桁数および／または各桁の２進値を変えながらデータ端末を呼び出し、データ端末からの応答が１つに特定されたときには、この特定されたデータ端末のデータを収集する特定収集手段と、前記複数のデータ端末に設けられ、収集装置からの検索２進化コードが自己の識別２進化コードと一部または全部において一致するときには応答する応答手段、および収集装置によって特定されたときには少なくとも収集装置によるデータの収集が続いている間は収集装置からの呼び出しに対する応答を禁止する応答禁止手段と、を有することを要旨とする。
【００１０】
請求項１記載の発明にあっては、収集装置が検索２進化コードを自動的に変えながらデータ端末を呼び出して、特定できたデータ端末からデータを順次収集する一方、一旦特定されたデータ端末からの応答を収集装置によるデータの収集が続いている間は禁止させる。
【００１１】
請求項２記載の本発明は、請求項１記載の発明において、前記特定収集手段が、検索２進化コードとして、最上位の桁および／または最下位の桁を起点として桁数および／または各桁の２進数が変わるコードであることを要旨とする。
【００１２】
請求項２記載の発明にあっては、収集装置からの検索２進化コードとデータ端末の識別２進化コードとの一致判定を、最上位および／または最下位の桁から行なうようにしている。
【００１３】
請求項３記載の本発明は、請求項１または２記載の発明において、検索２進化コードを構成する桁数が１ずつインクリメントされることを要旨とする。
【００１４】
請求項３記載の発明にあっては、収集装置からの検索２進化コードを最小の桁数からインクリメントさせることで、データ端末の特定をできるだけ少ない桁数で実現する。
【００１５】
【発明の実施の形態】
以下、図面を用いて、本発明の実施の形態を説明する。
【００１６】
図１は、本発明を電力負荷の電力、電圧を測定するために分電盤などに取り付けられた計測データ端末から１台のハンディターミナルで計測データを非接触で収集するシステムに適用した場合の構成を示す図である。同図において、１は電力を測定する第１の計測データ端末（識別名ＡＣＷ１）、３および５は電圧を測定するそれぞれ第２（識別名ＡＣＶ１）および第３（識別名ＡＣＶ２）の計測データ端末である。また、７は収集装置および特定収集手段を構成するハンディターミナルである。
【００１７】
第１乃至第３の計測データ端末１，３，５の夫々には、識別名に対応して例えばＡＳＣＩＩコードによる２進化コード（以下、「識別２進化コード」と呼ぶ）が図１に示すように設定されている。そして、これら計測データ端末１，３，５は、ハンディターミナル７から送信される検索２進化コードを受信して、この検索２進化コードと自己の識別２進化コードとを比較して、一部または全部が一致しているときには、ハンディターミナル７に対して自己の識別２進化コードを応答信号として返信する機能を有し、またハンディターミナル７からの指令に応じて記憶している計測データを送信する機能を有している。更に、計測データ端末１，３，５は、ハンディターミナル７によって後述する如く一旦特定されたときには、その後に送信されて来る検索２進化コードと自己の識別２進化コードとの間に一致があっても、他の計測データ端末からの計測データの収集が終了するのに必要とされる設定時間だけ自己の識別２進化コードの返信を禁止する機能を有する。
【００１８】
ハンディターミナル７は、計測データの収集モードに設定されると、検索２進化コードを自動的に変えながら送信して計測データを収集すべき１つの計測データ端末を順次特定していくことで、最終的に１度のモード設定ですべての計測データ端末１，３，５から計測データを収集するものである。検索２進化コードとしては、図２に示す如く、最下位の桁から各桁の２進値が変わるおよび／または桁数が増えるというように変化するコードである。このため、計測データ端末１，３，５における検索２進化コードと識別２進化コードとの比較は、最下位の桁から行なわれていくことになる。
【００１９】
次に、本実施の形態の作用を説明する。
【００２０】
ハンディターミナル７は、計測データの収集モードに設定されると、図２に示すように「０」を起点として、順に各桁の２進値が変わるおよび／または桁数が増えるというように変化する検索２進化コードを計測データ端末１，３，５に送信開始する。
【００２１】
計測データ端末１，３，５は、送信されて来た検索２進化コードを自己の識別２進化コードと比較する。最初に送信されて来る検索２進化コードが「＊０」の場合、第１および第２の計測データ端末１および３は、最下位の識別２進化コードがいずれも「１」であることから応答信号を返信しないが、第３の計測データ端末５は、最下位の識別２進化コードが「０」であることから、ハンディターミナル７に対して自己の識別２進化コードを返信する。
【００２２】
ハンディターミナル７は、第３の計測データ端末５からのみ識別２進化コードが返信されて来たことを検知すると、改めて、この返信されて来た識別２進化コードにより第３の計測データ端末５を指定して指令信号を送信し、第３の計測データ端末５に記憶されている電圧計測データを収集する。
【００２３】
一方、第３の計測データ端末５は、計測データを収集されると、その後に識別２進化コードが送信されて来ても、少なくともハンディターミナル７による他の第１および第２の計測データ端末１および３の計測データの収集に要する設定時間内は応答信号を返信しない。
【００２４】
次に送信されて来る検索２進化コードが「＊１」の場合、第１および第２の計測データ端末１および３は、最下位の識別２進化コードがいずれも「１」であることから、共にハンディターミナル７に対して自己の識別２進化コードを返信する。しかし、この場合、ハンディターミナル７は、計測データの未収集のデータ端末が存在することが判るものの、返信された識別２進化コードが混信して正しいコードを認識することができない。
【００２５】
そこで、ハンディターミナル７としては、次に検索２進化コードの桁数を１つ増やした上で「＊００」を送信する。この場合、第１および第２の計測データ端末１および３は、下位２桁の識別２進化コードがいずれも「００」ではないことから、共に応答信号を送信しない。
【００２６】
次に送信されて来る検索２進化コードが「＊０１」の場合、第１および第２の計測データ端末１および３は、下位２桁の識別２進化コードがいずれも「０１」であることから、共にハンディターミナル７に対して自己の識別２進化コードを返信する。しかし、この場合、前記と同様、ハンディターミナル７は、正しいコードを認識することができない。そこで、ハンディターミナル７としては、次に検索２進化コードを「＊１０」に更新して送信する。
【００２７】
以後、ハンディターミナル７は、図３に示す如く、検索２進化コードを、各桁の２進値を変えるおよび／または桁数を増やすというように変化させながら、唯一の計測データ端末からの識別２進化コードが返信されて計測データを収集すべき計測データ端末が特定されるまで検索２進化コードの送信を続ける。
【００２８】
このようなハンディターミナル７の作用により、検索２進化コードが「＊００１１０００１」の場合に第２の計測データ端末３が特定され、「＊１０１１０００１」の場合に第１の計測データ端末１が特定され、それぞれの計測データが収集されることになる。
【００２９】
この後は、計測データを収集すべき計測データ端末が存在しないので、応答信号の無い状態が所定回数連続したところで計測データの収集終了と判断すればよい。
【００３０】
したがって、本実施の形態によれば、ハンディターミナルあるいはその操作者に特別の負担を何らかけることなく、すべての計測データ端末からのデータ収集を確実に行なうことができる。加えて、計測データ端末を特定するための比較コードは２進化コードであることから、比較時間としては短くて済み、結果として、データ収集時間を短縮化することが可能である。
【００３１】
なお、上記実施の形態においては、検索２進化コードを最下位の桁から更新して行くようにしたが、最上位の桁から更新して行くようにしてもよく、更には最上位および最下位の両方の桁から更新して行くようにしてもよく、データ収集時間の一層の短縮化を図ることができる。
【００３２】
また、計測データ端末における識別２進化コードの設定においては、計測内容を区別する番号を含ませるようにしてもよい。例えば電圧は１、電流は２、電力は３というようにである。これにより、計測データ端末の区別が早くできる。また１つの測定点に電圧、電流を測定するための計測データ端末を２台置くとき、ユーザが両方の計測データ端末に場所を示す同じ識別番号を付与しても、電圧、電流それぞれで区別される番号が識別番号のあとに付くので、両者が明確に識別できる。
【００３３】
さらに、上記実施の形態では、識別２進化コードをＡＳＣＩＩコードに基づいて設定したが、通信分野でよく用いられるＣＲＣコードを用いてもよい。
【００３４】
【発明の効果】
以上、説明したように、請求項１記載の発明によれば、収集装置が検索２進化コードを自動的に変えながらデータ端末を呼び出して、特定できたデータ端末からデータを順次収集する一方、一旦特定されたデータ端末からの応答を収集装置によるデータの収集が続いている間は禁止させるようにしたので、手間をかけることなく、確実にすべてのデータ端末からデータをまとめて順次収集することができる。
【００３５】
また、請求項２記載の発明によれば、収集装置からの検索２進化コードとデータ端末の識別２進化コードとの一致判定を、最上位および／または最下位の桁から行なうようにしたので、請求項１記載の効果に加えて、データ端末の特定を短時間で実現することができる。
【００３６】
さらに、請求項３記載の発明によれば、収集装置からの検索２進化コードを最小の桁数からインクリメントさせることで、データ端末の特定をできるだけ少ない桁数で実現するようにしたので、請求項１記載の効果に加えて、データ端末の特定を短時間で実現することができる。
【図面の簡単な説明】
【図１】本発明の実施の形態の構成を示す図である。
【図２】当該実施の形態で用いられる検索２進化コードの変化を示す図である。
【図３】当該実施の形態の作用を説明するための図である。
【符号の説明】
１  第１の計測データ端末
３  第２の計測データ端末
５  第３の計測データ端末
７  ハンディターミナル
【図１】
0003892627.tif 000002
【図２】
0003892627.tif 000003
【図３】
0003892627.tif 000004